(57)【特許請求の範囲】
【請求項１】
縦枠と横枠をそれぞれ構成する二つの枠部材の端部にて隅部を形成する開口部装置の枠体であって、
前記縦枠及び前記横枠は、外枠、及び前記外枠の内周側に設けられ、前記縦枠及び前記横枠で同一の枠断面を有する内枠により空間部を形成するように構成される開口部装置の枠体であって、
前記隅部において、
前記縦枠の外枠の見付面構成部は、前記横枠の外枠の見付面構成部に当接し、
前記縦枠の外枠の見付面構成部の下端部は、前記横枠の外枠の見付面構成部の上端部に当接し、
前記縦枠の外枠の内周側見込面構成部には、前記横枠の内枠の端面が当接され、
前記縦枠の前記空間部と、前記横枠の空間部が連通するように構成される、
ことを特徴とする開口部装置の枠体。
【請求項２】
前記下枠の内枠の左右端部を除いて内壁面構成部を設け、前記縦枠の内枠下端部が前記下枠の内枠の左右端部を介して設けられる、
ことを特徴とする請求項１に記載の開口部装置の枠体。
【請求項３】
請求項１又は請求項２に記載の開口部装置の枠体を具備する、開口部装置。
【発明の詳細な説明】
【技術分野】
【０００１】
本発明は、住宅、公共施設、商業施設、ビル等の建物の開口部に好適に設けられる開口部装置に関し、特に、ガラスパネルなどを備える障子が取り付けられる枠体の構成に関する。
【背景技術】
【０００２】
従来、金属製や樹脂製の枠体に、ガラスパネルなどを備える障子を取り付けた構成の開口部装置は周知となっている。そして、枠部材となる上下枠、及び、左右縦枠から前記枠体を構成し、該枠体に障子を回動可能に設けた片開き窓や突き出し窓、さらには、嵌め殺し状に設けたＦＩＸ窓が周知となっており、これらについて開示する文献も存在する（例えば、特許文献１、２参照。）。
【０００３】
また、枠体を構成する枠部材について、特許文献２においては、外枠となるアルミニウム製枠体の室内側に、内枠となる断熱材及び装飾材として機能する樹脂製カバーを取り付けた構成について開示をしている。
【０００４】
このような、外枠と内枠の組み合わせから構成される枠体（枠部材）において、例えば、図１１に示すごとく、開口部装置９０において、左縦枠９１の端部と下枠９２の端部が交わる箇所となる隅部９３にて、各枠部材の端部の構造を図１２及び図１３の構造とするものが知られている。
【０００５】
この図１２及び図１３に示す構成では、左縦枠９１は、外枠９１Ａと内枠９１Ｂとから構成され、下枠９２は、外枠９２Ａと９２Ｂとから構成されることとしている。そして、左縦枠９１Ａの下端部９１ａにおいては、下枠９２に対向する部位を切り欠くようにして逃がし部９４を形成し、この逃がし部９４に下枠９２を入り込ませるとともに、下枠９２の見込面構成部９２ｓを、逃がし部９４の右側端面９４ｓに当接させるようにしている。
【０００６】
また、図１２及び図１３に示す構成では、前記逃がし部９４においては、下枠９２の内枠９２Ｂを上方に向けて取外すことができるように、下枠９２の内枠９２Ｂの上方に隙間９５を確保し、左縦枠９１の外枠９１Ａと下枠９２の内枠９２Ｂの間のクリアランスを確保することとしている。そして、この隙間９５は、各枠体の組み付け後に、閉塞部材９６によって閉じられることとしている。
【特許文献１】特開２００６−２４９７３２号公報
【特許文献２】特許第３４４３０５１号明細書
【発明の開示】
【発明が解決しようとする課題】
【０００７】
従来の枠体の隅部の構成は、図１１〜図１３で説明した例のように、枠体の端部について、特別な端部加工が要求されるものであった。即ち、左縦枠９１においては、その外枠９１Ａにおいて下端部に逃がし部９４を設ける必要があり、このための機械加工が必要とされるものである。また、各枠体の組み付け後においては、閉塞部材９６にて隙間９５を閉じる手間や、この閉塞部材９６の製作費がかかるという問題がある。
【０００８】
また、図１２及び図１３に示すごとく、隅部９３において、左縦枠９１の内枠９１Ｂを横切るようにして下枠９２の内枠９２Ｂを逃がし部９４まで入り込ませることとしていることから、両内枠９１Ｂ・９２Ｂの端部構造や異なる枠断面を有する必要があり、両内枠９１Ｂ・９２Ｂの部材の共通化が図られないものであった。
【０００９】
さらに、図１３に示すごとく、下枠９２の内枠９２Ｂが、左縦枠９１の内枠９１Ｂを横切るようにして逃がし部９４に入り込んだ構成とすると、左縦枠９１の外枠９１Ａと内枠９１Ｂの間の空間に浸入した雨水等の水を、下枠９２の内枠９２Ｂの上面９２ｕにて受け止めてしまい、この受け止めた水が内枠９１Ｂ・９２Ｂの間の隙間９７から染み出し、内枠９２Ｂの上に溜まってしまうという問題が生じやすくなる。
【００１０】
そこで、本発明は、枠体の隅部において新規な構成により、上記の問題を解決することとするものである。
【課題を解決するための手段】
【００１１】
本発明の解決しようとする課題は以上の如くであり、次にこの課題を解決するための手段を説明する。
【００１２】
即ち、請求項１に記載のごとく、
縦枠と横枠をそれぞれ構成する二つの枠部材の端部にて隅部を形成する開口部装置の枠体であって、
前記縦枠及び前記横枠は、外枠、及び前記外枠の内周側に設けられ、前記縦枠及び前記横枠で同一の枠断面を有する内枠により空間部を形成するように構成される開口部装置の枠体であって、
前記隅部において、
前記縦枠の外枠の見付面構成部は、前記横枠の外枠の見付面構成部に当接し、
前記縦枠の外枠の見付面構成部の下端部は、前記横枠の外枠の見付面構成部の上端部に当接し、
前記縦枠の外枠の内周側見込面構成部には、前記横枠の内枠の端面が当接され、
前記縦枠の前記空間部と、前記横枠の空間部が連通するように構成される、
ことを特徴とする開口部装置の枠体とする。
【００１３】
また、請求項２に記載のごとく、
前記下枠の内枠の左右端部を除いて内壁面構成部を設け、前記縦枠の内枠下端部が前記下枠の内枠の左右端部を介して設けられる、
ことを特徴とする請求項１に記載の開口部装置の枠体。
【００１４】
また、請求項２に記載のごとく、
請求項１又は請求項２に記載の開口部装置の枠体を具備する、開口部装置とする。
【発明の効果】
【００１７】
本発明の効果として、以下に示すような効果を奏する。
【００１８】
即ち、請求項１に記載の発明においては、枠体を構成する枠部材の内枠について、部材の共通化、及び、施工性の向上を図ることが可能となる。また、一方の枠部材の外枠の端部において、他方の枠部材の内枠の交換の際に工具等を挿入するための開口部を構成する必要がなくなり、一方の枠部材の外枠の加工工数を少なく抑えることが可能となって、ひいては、コスト削減を図ることが可能となる。また、一方の枠部材の外枠の内部に水が浸入して落下した際においても、この落下した水を他方の枠部材の内枠にて受けることがないので、落下した水が他方の枠部材の内枠の内周側見込面構成部にしみ出ることや、これによって、内側面が汚れるといった問題を回避することができる。
【００２０】
また、請求項２に記載の発明においては、落下した水が左側内枠と下側内枠の間の隙間から、下側内枠の内周側見込面構成部にしみ出すといった問題を回避できる。
【００２１】
また、請求項３に記載の発明においては、部材の共通化、及び、施工性の向上が図られた開口部装置を実現できる。
【発明を実施するための最良の形態】
【００２３】
次に、発明の実施の形態を説明する。
図１は、本実施形態にかかる開口部装置１を備える建物１００の外観を示す正面図である。建物１００は、１階部分及び２階部分からなり、各階に開口部を有している。開口部には、１階部分においては玄関２や窓３が備えられ、２階部分にも窓４が備えられる。２階部分には、開口部装置１が取り付けられ、小さめのスクエア窓（正方形）が構成される。この開口部装置１の形態は、換気を主目的としたいわゆる片開き窓又は突き出し窓とされている。
【００２４】
また、図１に示すごとく、開口部装置１は比較的小さなスクエア窓に好適に使用されるが、この他、長方形のスリット窓、ひし形の菱形窓、ガラスブロック窓、台形窓、アーチ窓などの、あらゆる種類の窓に適用が可能である。また、建物の種類も住宅に限定されず、公共施設やオフィスビルなどの大型建物にも適用できる。
【００２５】
図２は、本実施形態にかかる開口部装置１を室内側から見た正面斜視図である。開口部装置１は、建物開口部に固定される方形の枠体１０Ｗを構成する枠部材１０と、該枠部材１０内に開閉可能に取り付けられる障子２０とを有している。障子２０は、ガラスパネル２１と、該ガラスパネル２１の周りを取り囲む框２２を備えている。
【００２６】
また、図３（ａ）に示すごとく、開口部装置１を室内側から見ると、主に、室内壁１００Ａ、ガラスパネル２１、枠部材１０の内枠１１の表面部１１Ａのみが見えるようになっており、框２２や外枠１２などの殆どの他の部位は、室内壁１００Ａによって隠されて、室内側から見えないようになっている。
【００２７】
また、図３（ｂ）に示すごとく、開口部装置１を室外側から見ると、外壁１００Ｂ、ガラスパネル２１、及び、框２２のみが見えるようになっている。前記枠体１０Ｗは、框２２によって隠されるようになっている。
【００２８】
以上のような開口部装置１の構成により、ガラスパネル２１と室内壁１００Ａの間には部材が殆ど見えず、また、ガラスパネル２１と外壁１００Ｂの間には框２２のみが見えるようになり、シンプルで開放的な印象を与えることができる。なお、本実施形態においては、框２２が室外側に配置されることで、框２２が室外から見え、室内からは見えないようになっているが、反対に、框２２を室内側に配置することで、框２２が室外から見えず、室内からは見えるように構成することも可能である。
【００２９】
また、図４は、開口部装置１の高さ方向中心付近における水平断面図である。開口部装置１の紙面上方が室外側、紙面下方が室内側である。図４には、左縦枠、右縦枠をそれぞれ構成する枠部材１０、１０、該枠部材１０、１０に沿って配置される左右の框２２、２２、及び、該框２２にて取り囲まれるガラスパネル２１が表れている。また、ガラスパネル２１及び框２２にて障子２０が構成されており、この障子２０は、操作ハンドル２３により、蝶番機構３０を回動中心として室外側に回動される構成となっている。
【００３０】
また、図５は、開口部装置１の左右方向中心付近における縦断面図である。開口部装置１の紙面左方が室外側、紙面右方が室内側である。図５には、上枠、下枠をそれぞれ構成する枠部材１０、１０、該枠部材１０、１０に沿って配置される上下の框２２、２２、及び、該框２２にて取り囲まれるガラスパネル２１が表れている。また、ガラスパネル２１及び框２２にて障子２０が構成されており、この障子２０は、図６に示すごとく、操作ハンドル２３の操作によって室外側に突き出される構成となっている。
【００３１】
次に、枠部材１０の構成について説明する。
以下の説明では、図５の点線Ａで囲んだ範囲を代表的なものとして図７に拡大し、下枠を構成する範囲における枠部材や障子の構成について説明するが、以下で説明する構成は、開口部装置の他の部位についても適用可能である。即ち、縦枠を構成する範囲や、上枠を構成する範囲においても、以下で説明する実施形態の構成を適用することができる。
【００３２】
図７に示すごとく、開口部装置１の枠体１０Ｗを構成する枠部材１０は、その内側面において枠体１０Ｗの内周面を構成する内枠１１と、その外周面にて枠体１０Ｗの外周面（外周側の見込面構成部）を構成する外枠１２と、を具備して構成される。この枠部材１０は、図２に示すごとく、方形の枠体１０Ｗを構成するものである。
【００３３】
また、図７に示すごとく、前記内枠１１は、見込寸法Ｌ１を有する板状の部材であり、枠体１０Ｗの内周面を形成する内側面１１ｂを構成する内壁面構成部１１ａを有している。
【００３４】
また、図７に示すごとく、内枠１１において、前記内壁面構成部１１ａの室外側端部には、断面視において凹状の溝１１ｃを構成する溝構成部１１ｍが構成されており、溝構成部１１ｍに網戸枠１４が挿入されるようになっている。また、内枠１１において、前記内壁面構成部１１ａの室内側端部においては、内壁面構成部１１ａを内側（枠体１０Ｗで囲まれる空間の内側）に膨出させることにより、水受け部１１ｅが構成されるようになっている。また、内枠１１において、前記内壁面構成部１１ａの室内側端部においては、外側（枠体１０Ｗで囲まれる空間の外側）方向に突出される内枠室内側張出し部１１ｆが設けられている。また、前記溝構成部１１ｍにおいても、外側方向に突出される内枠室外側張出し部１１ｇが設けられている。
【００３５】
また、図７に示すごとく、前記内枠１１は、前記外枠１２に取り付けられる。該外枠１２は、見込寸法Ｌ２の外枠外周側見込面構成部１２ａを有しており、該外枠外周側見込面構成部１２ａにて枠部材１０（枠体１０Ｗ）の外周面が構成されることとしている。
【００３６】
また、図７に示すごとく、外枠１２において、前記外枠外周側見込面構成部１２ａの見込方向の略中央部において、内側（枠体１０Ｗで囲まれる空間の内側）方向に突出される外枠室外側張出し部１２ｇが設けられている。また、外枠１２の室内側端部においては、内側（枠体１０Ｗで囲まれる空間の内側）方向に突出される外枠室内側張出し部１２ｆが設けられている。
【００３７】
また、図７に示すごとく、外枠１２において、外枠外周側見込面構成部１２ａ、外枠室外側張出し部１２ｇ、外枠室内側張出し部１２ｆによって、図において上方が開放される略「コ」字状の断面が構成される。そして、この略「コ」字状の断面の開放が、前記内枠１１の内壁面構成部１１ａによって閉塞されることで、枠部材１０に空間部１０Ｎが構成されるようになっている。尚、内枠１１の内枠室内側張出し部１１ｆと外枠１２の外枠室内側張出し部１２ｆ、内枠１１の内枠室外側張出し部１１ｇと外枠１２の外枠室外側張出し部１２ｇ、がそれぞれ係合することにより、空間部１０Ｎが構成されるようになっている。
【００３８】
また、図７に示すごとく、前記内枠１１は、外枠１２、即ち、外枠外周側見込面構成部１２ａ、外枠室外側張出し部１２ｇ、外枠室内側張出し部１２ｆよりも、断熱性の優れた素材にて構成されることとしている。例えば、外枠外周側見込面構成部１２ａ、外枠室外側張出し部１２ｇ、外枠室内側張出し部１２ｆがアルミ形材によって構成される場合では、内枠１１を樹脂形材によって構成することで、内枠１１についての断熱性を優れたものとすることができる。また、この断熱性の向上によって、内枠１１の内側（枠体１０Ｗで囲まれる空間の内側）での結露が防止され、優れた防露性能を発揮することが可能となる。
【００３９】
次に、内枠１１と外枠１２の隅部Ｒの構成について説明する。
図８及び図９に示すごとく、隅部Ｒは、左側内枠１１Ｌ及び左側外枠１２Ｌから構成される左縦枠部材１０Ｌの端部と、下側内枠１１Ｄ及び下側外枠１２Ｄから構成される下枠部材１０Ｄの端部と、によって形成されることとしている。
【００４０】
また、図８及び図９に示すごとく、隅部Ｒにおいて、左側外枠１２Ｌは、その見付面構成部１２ＬＴ及び内周側見込面構成部１２ＬＫの下端において略水平の下端部１２ｄを形成している。また、下側外枠１２Ｄは、その見付面構成部１２ＤＴ及び内周側見込面構成部１２ＤＵの左端において略水平の上端部１２ｕを形成している。そして、左側外枠１２Ｌの下端部１２ｄが、下側外枠１２Ｄの上端部１２ｕに対して当接されている。
【００４１】
また、図８及び図９に示すごとく、隅部Ｒにおいて、左側内枠１１Ｌは、その見付面構成部１１ＬＴ及び内周側見込面構成部１１ＬＫの下端において略水平の下端部１１ｄを形成している。また、下側内枠１１Ｄの見付面構成部１１ＤＴ及び内周側見込面構成部１１ＤＵの左端において、左側内枠１１Ｌの見付幅Ｄの長さの範囲において、水受け部１１ｅが切り欠かれ、その切り欠かれた範囲には、水受け部１１ｅの存在しない略水平の上端面１１ｕが形成されることとしている。そして、左側内枠１１Ｌの下端部１１ｄは、下側内枠１１Ｄの上端面１１ｕに対して当接されている。
【００４２】
また、図８及び図９に示すごとく、隅部Ｒにおいて、下側内枠１１Ｄの左端の端面１１ＤＫは、前記左側外枠１２Ｌの内周側見込面構成部１２ＬＫに対して当接される。なお、本実施形態において、左側外枠１２Ｌの内周側見込面構成部１２ＬＫは、図７に示される外枠室外側張出し部１２ｇと外枠室内側張出し部１２ｆのそれぞれの突出端を結ぶことによって形成される仮想的な表面となることになる。
【００４３】
以上のようにして、隅部Ｒにおいては、左側外枠１２Ｌの見付面構成部１２ＬＴの下端部１２ｄは、下側外枠１２Ｄの見付面構成部１２ＤＴの上端部１２ｕに当接し、左側外枠１２Ｌの内周側見込面構成部１２ＬＫの下端部１２ｄは、下側外枠１２Ｄの内周側見込面構成部１２ＤＵの上端部１２ｕに当接し、前記左側外枠１２Ｌの内周側見込面構成部１２ＬＫには、前記下側内枠１１Ｄの端面１１ＤＫが当接されるようになっている。
【００４４】
そして、この構成により、例えば、図１０に示すごとく、下側内枠１１Ｄを交換する際には、左側内枠１１Ｌ、及び、右側内枠１１Ｒを取外すことで下側内枠１１Ｄの上方が開放され、下側内枠１１Ｄを上方に向けて取外すことが可能となる。これは、図９に示すごとく、下側内枠１１Ｄの端面１１ＤＫが、左側外枠１２Ｌの内周側見込面構成部１２ＬＫに当接し、左側外枠１２Ｌに対して入り込まない構成であるために可能となるものである。上側内枠１１Ｕの交換についても下側内枠１１Ｄと同じようにして行うことができる。
【００４５】
また、このように、下側内枠１１Ｄの交換が可能となるため、左側外枠１２Ｌの下端部において、下側内枠１１Ｄの交換の際に工具等を挿入するための開口部を構成する必要がなくなり、左側外枠１２Ｌの加工工数を少なく抑えることが可能となって、ひいては、コスト削減を図ることが可能となる。
【００４６】
また、図９及び図１０に示すごとく、下側内枠１１Ｄの左端の端面１１ＤＫが、左側外枠１２Ｌの内周側見込面構成部１２ＬＫに当接し、左側外枠１２Ｌに対して入り込まない構成であるために、左側外枠１２Ｌの下端部１２ｄの下方に、左側内枠１１Ｌの上端面１１ｕ（内周側見込面構成部１１ＤＵ）が存在しなことになる。これによって、例えば、左側外枠１２Ｌの内部に水が浸入して落下した際においても、この落下した水を下側内枠１１Ｄによって受けることがない。このため、この落下した水が左側内枠１１Ｌと下側内枠１１Ｄの間の隙間から、下側内枠１１Ｄの内周側見込面構成部１１ＤＵにしみ出すといった問題を回避できる。仮に、下側内枠１１Ｄによって落下した水を受けてしまうと、左側内枠１１Ｌと下側内枠１１Ｄの間の隙間から、下側内枠１１Ｄの内周側見込面構成部１１ＤＵにしみ出してしまい、これによって、内周側見込面構成部１１ＤＵが汚れてしまうことになる。
【００４７】
さらに、以上に説明した隅部Ｒの構成は、枠体１０Ｗの全ての隅部について適用できるものである。即ち、二つの枠部材（本実施例では、縦枠、上枠、下枠）の端部からなる隅部を形成する枠体１０Ｗを有する開口部装置の枠体１０Ｗであって、前記各枠部材は、外枠１２、及び、前記外枠１２の内周側に設けられる内枠１１とから構成され、前記各枠部材の内枠１１は、同一の枠断面を有することとするものである。尚、ここでいう「枠断面」とは、内枠１１の長手方向に直交する平面による切断面により形成される断面形状であって、本実施形態では、例えば、図７に示される断面形状である。これにより、内枠１１について、縦枠、横枠の全ての枠を共通の構成として、部材の共通化を図ることができる。
【００４８】
仮に、例えば、縦枠、上枠、下枠といった各枠部材において、内枠１１を異なる構造とするとともに、下側内枠１１Ｄを左側外枠１２Ｌに対して入り込ませる構成とすると、下側内枠１１Ｄと左側内枠１１Ｌとを、その端部において異なる形状とする必要が生じるが、本実施例の構成によれば、下側内枠１１Ｄと左側内枠１１Ｌとを共通の構成とすることが可能となり、部材の共通化、及び、施工性の向上を図ることが可能となる。
【００４９】
以上が本発明の実施形態の説明である。尚、以上の実施形態に使用される枠体及び框の材質は、通常の開口部装置に利用されるあらゆる材質が使用可能である。その中でもアルミニウムが特に好ましい材料である。また、パネル部材としては、ガラスパネルに代えて通常の開口部装置に利用されるあらゆる材質が使用可能である。例えば採光の観点から考えると、アクリル樹脂パネル、ポリカーボネートパネルを使用することができる。また、ロック機構やシール材等、その他通常の開口部装置が備える部材は本発明の開口部装置にも使用することができる。
【００５０】
また、以上のように、本発明の開口部装置は多くの種類の建物の開口部に適用が可能であり、各実施態様においてその効果を十分に発揮することができる。例えば、障子の開閉しない、所謂、ＦＩＸ窓についても、本発明の構成は適用できるものである。
【００５１】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う建物の開口部装置もまた本発明の技術的範囲に包含されるものとして理解されなければならない。
【産業上の利用可能性】
【００５２】
本発明は、突き出し窓、片開き窓、ＦＩＸ窓、更には、引き違い窓も含め、あらゆる形態の開口部装置の枠体について幅広く適用可能である。
【図面の簡単な説明】
【００５３】
【図１】本発明の実施形態に係る開口部装置を備えた建物の例について示す図。
【図２】本発明の実施形態に係る開口部装置の室内側から見た斜視図。
【図３】（ａ）は、本発明の実施形態に係る開口部装置の室内側から見た正面図。（ｂ）は、本発明の実施形態に係る開口部装置の室外側から見た正面図。
【図４】本発明の実施形態に係る開口部装置の水平断面図。
【図５】本発明の実施形態に係る開口部装置の側面断面図。
【図６】同じく障子を開いた状態における開口部装置の側面断面図。
【図７】図４の点線Ａで囲んだ範囲の拡大図。
【図８】枠体の隅部の構造について示す正面図。
【図９】枠体の隅部の構造について示す斜視図。
【図１０】内枠の交換について説明する枠体の正面図。
【図１１】従来の枠体の構造について示す正面図。
【図１２】従来の枠体の隅部の構造について示す正面図。
【図１３】従来の枠体の隅部の構造について示す斜視図。
【符号の説明】
【００５４】
１    開口部装置
１０      枠部材
１０Ｗ    枠体
１０Ｄ    下枠部材
１１Ｄ    下側内枠
１１ＤＫ    見込面構成部
１１ＤＴ    見付面構成部
１１ＤＵ    内周側見込面構成部
１２Ｄ    下側外枠
１２ＤＴ    見付面構成部
１２ＤＵ    内周側見込面構成部
１０Ｌ    左縦枠部材
１１Ｌ    左側内枠
１１ＬＫ    見込面構成部
１１ＬＴ    見付面構成部
１２Ｌ    左側外枠
１２ＬＴ    見付面構成部
１２ＬＫ    見込面構成部
Ｒ    隅部
【図１】
0005288438.tif 000002
【図２】
0005288438.tif 000003
【図３】
0005288438.tif 000004
【図４】
0005288438.tif 000005
【図５】
0005288438.tif 000006
【図６】
0005288438.tif 000007
【図７】
0005288438.tif 000008
【図８】
0005288438.tif 000009
【図９】
0005288438.tif 000010
【図１０】
0005288438.tif 000011
【図１１】
0005288438.tif 000012
【図１２】
0005288438.tif 000013
【図１３】
0005288438.tif 000014